(57)【要約】【課題】データをホストコンピュータを介さずに他の機器とやりとり可能な光ディスク装置を提供する。【解決手段】データを光ディスク２０へ書き込み可能な光ディスク装置３０において、ホストコンピュータを介さずに直接接続された他の機器の動作を制御するホスト手段４１を有する通信制御手段４０を具備することを特徴とする。【選択図】        図１
2004247009.tif 000002
【特許請求の範囲】
【請求項１】
データを光ディスクへ書き込み可能な光ディスク装置において、
ホストコンピュータを介さずに直接接続された他の機器の動作を制御するホスト手段を有する通信制御手段を具備することを特徴とする光ディスク装置。
【請求項２】
前記通信制御手段は、ホスト手段を有するホスト機器からの制御信号を受け付けて周辺機器として動作する周辺機器手段を有することを特徴とする請求項１記載の光ディスク装置。
【請求項３】
ユーザが操作可能な第１のスイッチ手段が設けられ、
前記通信制御手段のホスト手段は、
前記第１のスイッチ手段が操作された場合には、データを受信して記録すべき旨のコマンドを該他の機器に対して出力し、且つ光ディスクからデータを読み出して前記他の機器に対して送信するように制御することを特徴とする請求項１または２記載の光ディスク装置。
【請求項４】
前記他の機器がデータを記録中には、その旨をユーザに対して表示する表示手段を具備することを特徴とする請求項３記載の光ディスク装置。
【請求項５】
前記他の機器は、装着されている光ディスクへデータを書き込み可能な光ディスク装置であることを特徴とする請求項３または４記載の光ディスク装置。
【請求項６】
ユーザが操作可能な第２のスイッチ手段が設けられ、
前記通信制御手段のホスト手段は、
前記第２のスイッチ手段が操作された場合には、前記他の機器に保持されているデータを送信すべき旨のコマンドを該他の機器に対して出力し、且つ該他の機器から送信されてきたデータを装着されている光ディスクに書き込むように制御することを特徴とする請求項１，２，３，４または５記載の光ディスク装置。
【請求項７】
受信したデータを、装着されている光ディスクへ書き込み開始した際に、ユーザに対して書き込み中である旨を表示する表示手段を具備することを特徴とする請求項６記載の光ディスク装置。
【請求項８】
前記他の機器は、装着されている光ディスクからデータを読み出し可能な光ディスク装置であることを特徴とする請求項６または７記載の光ディスク装置。
【請求項９】
前記他の機器は、装着されているメモリカード内のデータを読み出し可能なメモリカードリーダであることを特徴とする請求項６または７記載の光ディスク装置。
【発明の詳細な説明】
【０００１】
【発明の属する技術分野】
本発明はデータを光ディスクに書き込みできる光ディスク装置に関する。
【０００２】
【従来の技術】
ＣＤ−ＲやＣＤ−ＲＷ等の光ディスクにデータを書き込むことができる光ディスク装置は、ホストコンピュータの外部に接続されるか、またはホストコンピュータの内部機器として接続され、ホストコンピュータから送信されるデータを書き込むように制御されることが一般的であった（例えば、非特許文献１、または特許文献１参照）。
【０００３】
以下に、メモリカードのデータを従来の光ディスク装置に記憶させる場合について、図７に基づいて説明する。
ここでは、携帯情報端末やデジタルカメラの記録媒体として用いられるメモリカード２内のデータを、ＣＤ−ＲやＣＤ−ＲＷ等の光ディスク２０に書き込むものとする。
メモリカード２自身は、フラッシュメモリ等の記憶手段（図示せず）を有しており、メモリカード２内のデータの読み出しには専用の機器であるメモリカードリーダ４が必要である。
【０００４】
メモリカードリーダ４はホストコンピュータ５（一般に市販されている汎用コンピュータを用いることができる）に通信可能に接続される。ホストコンピュータ５とメモリカードリーダ４とは、ＵＳＢ（Ｕｎｉｖｅｒｓａｌ  Ｓｅｒｉａｌ  Ｂｕｓ）などの規格で定められたデータ送信形式により接続されることが一般的である。データ送信形式がＵＳＢの場合、ホストコンピュータ５にはホストコンピュータ５に接続されている周辺機器を制御するＵＳＢコントローラが設けられている。ここでは、通信制御部８がＵＳＢコントローラに該当する。
【０００５】
また、ホストコンピュータ５には、メモリカードリーダ４を動作させるためのソフトウェアとしてデバイスドライバ（図示せず）がインストールされる。デバイスドライバはホストコンピュータのＯＳに組み込まれて動作する。このため、ユーザは、メモリカードリーダ４からのデータを読み出してハードディスク６内に保存する場合には、通常のＯＳの機能であるエクスプローラ等を用いて、データのハードディスク６内への保存を行なう。
【０００６】
また、ホストコンピュータ５が光ディスクへデータを書き込む場合には、光ディスク装置用ライトアプリケーションソフト（以下、単にライトアプリという場合がある）９を用いてデータ書き込みが行なわれる。ライトアプリ９は、光ディスク装置２１の動作制御をするデバイスドライバ（図面上では、単にドライバと表す）１０も含んでいる。
【０００７】
なお、光ディスク装置２１は、ホストコンピュータ５からのデータを受信する通信制御部１２、通信制御部１２で受信したデータをＥＦＭ変調等してデータ処理するエンコーダ１４、エンコードされたデータに基づいて光ピックアップ１８のレーザ強度を制御するレーザドライバ１６と、レーザドライバ１６によって制御される光ピックアップ１８とを具備している。
【０００８】
ホストコンピュータ５ではライトアプリ９が作動して、書き込みの方法やデータ書き込み時の書き込み速度等を指示するコマンドを光ディスク装置２１へ出力する。
光ディスク装置２１では、コマンドを受けた制御部（ＣＰＵやメモリ等から構成される）１３がコマンドにしたがってデータ書き込みを行なうように、サーボプロセッサ１５を制御する。サーボプロセッサ１５は、スピンドルモータ３２の駆動や光ピックアップ１８の移動等を制御する。
【０００９】
【非特許文献１】
中島平太郎・小川博司共著、コンパクトディスク読本（改訂３版）、オーム社、平成８年５月２０日、ｐ．２７０−２７３
【特許文献１】
特開平７−５７３２５号公報（（０００２）、（０００３）等）
【００１０】
【発明が解決しようとする課題】
上述したように、メモリカードや光ディスク等の様々なメディア内のデータを、光ディスク装置内の光ディスクに書き込もうとする場合、書き込むべきデータが保存されている他のメディアのデータを読み出し可能な機器をホストコンピュータへ接続し、データを一旦ホストコンピュータ内に記憶させて、ホストコンピュータ上で動作するソフトウェアで操作しないと光ディスクへデータを書き込むことができなかった。
したがって、従来においては、メディア同士でデータのやりとりをする際、少なくともホストコンピュータが必要であるためにコンピュータ購入費用等のコストがかかり、また接続やデータ読み取り等に時間・手間がかかっているという課題があった。
【００１１】
本発明者は、上記課題を解決すべく検討した結果、光ディスク装置においては、ホストコンピュータに対して周辺機器としての機能しか有していないことに問題があり、他の機器に対するホストとしての機能を持たせれば従来の課題が解決可能ではないかと考え、本発明に想到した。
【００１２】
そこで、本発明は上記課題を解決すべくなされ、その目的とするところは、データをホストコンピュータを介さずに他の機器とやりとり可能な光ディスク装置を提供することにある。
【００１３】
【課題を解決するための手段】
本発明にかかる光ディスク装置によれば、データを光ディスクへ書き込み可能な光ディスク装置において、ホストコンピュータを介さずに直接接続された他の機器の動作を制御するホスト手段を有する通信制御手段を具備することを特徴としている。
この構成を採用することによって、光ディスク装置は、ホストコンピュータを介さずに他の機器へデータを送信してデータを記録すべき指示をすることができるため、ホストコンピュータを介さずにデータのパックアップができる。また、他の機器が保持しているデータを送信するように、他の機器に指示して他の機器が保持しているデータをホストコンピュータを介さずに直接光ディスクに書き込むことも可能となる。
このため、データを様々なメディアで保存するという行為を、コストおよび手間をかけずに手軽に行なうことが可能となった。
【００１４】
また、前記通信制御手段は、ホスト手段を有するホスト機器からの制御信号を受け付けて周辺機器として動作する周辺機器手段を有することを特徴としてもよい。
この構成によれば、従来通り、ホストコンピュータに接続してホストコンピュータからの制御によって動作可能でもある。さらに、このようなホスト手段と周辺機器手段を有する光ディスク装置同士を接続すれば、どちらの機器を操作してもデータのやりとりが可能となる。
【００１５】
また、ユーザが操作可能な第１のスイッチ手段が設けられ、前記通信制御手段のホスト手段は、前記第１のスイッチ手段が操作された場合には、データを受信して記録すべき旨のコマンドを該他の機器に対して出力し、且つ光ディスクからデータを読み出して前記他の機器に対して送信するように制御してもよい。
これによれば、光ディスク内のデータを、ワンタッチで他の機器へ送信して記録するように指示できるので、容易にデータのバックアップができる。
【００１６】
前記他の機器がデータを記録中には、その旨をユーザに対して表示する表示手段を具備するようにすれば、ユーザは光ディスク装置がデータのバックアップをしているところであることを認識でき、他の機能を作動させたりしないよう注意を促せる。
【００１７】
なお、前記他の機器は、装着されている光ディスクへデータを書き込み可能な光ディスク装置であるとよい。
【００１８】
さらに、ユーザが操作可能な第２のスイッチ手段が設けられ、前記通信制御手段のホスト手段は、前記第２のスイッチ手段が操作された場合には、前記他の機器に保持されているデータを送信すべき旨のコマンドを該他の機器に対して出力し、且つ該他の機器から送信されてきたデータを装着されている光ディスクに書き込むように制御するしてもよい。
これによれば、光ディスク装置に接続された他の機器内のデータを、ホストコンピュータを介さずにワンタッチでコピーするように指示することができる。
【００１９】
また、受信したデータを、装着されている光ディスクへ書き込み開始した際に、ユーザに対して書き込み中である旨を表示する表示手段を有するので、ユーザは光ディスク装置がデータ書き込みをしていることを認識でき、他の機能を作動させたりしないような注意を促せる。
【００２０】
なお、前記他の機器は、装着されている光ディスクからデータを読み出し可能な光ディスク装置でもよく、また前記他の機器は、装着されているメモリカード内のデータを読み出し可能なメモリカードリーダであってもよい。
【００２１】
【発明の実施の形態】
以下、本発明にかかる光ディスク装置の好適な実施の形態を添付図面に基づいて詳細に説明する。
まず、光ディスク装置の構成について、図１に基づいて説明する。
この光ディスク装置３０は、データを光ディスクに書き込み可能な機器である。書き込み可能な光ディスク（例えばＣＤ−Ｒ、ＣＤ−ＲＷ等）２０はターンテーブル３１上に載置される。ターンテーブル３１は、スピンドルモータ３２に連結されており、スピンドルモータ３２の駆動によって回転する。
【００２２】
光ディスク２０からのデータの読み出しおよびデータの書き込みは、光ピックアップ３４が行なう。光ピックアップ３４は、内部にレーザダイオード、フォトディテクタ、対物レンズ等（図示せず）を備えている。光ピックアップ３４内のレーザダイオードのレーザ出力は、レーザドライバ３６によって制御される。
レーザドライバ３６は、エンコーダ３８によってエンコードされたデータのＥＦＭ信号に基づいて動作する。エンコーダ３８は、通信制御部４０から入力されたデジタルデータをＥＦＭ信号等に変換するための機能を有するＬＳＩである。また、光ピックアップ３４から読み出されたデータをデジタル化して増幅するＲＦアンプ７１と、ＲＦアンプ７１から送られてきたデータをＥＦＭ復調等して通信制御部４０へ送るデコーダ７２が設けられている。
【００２３】
通信制御部４０は、他の機器と接続して動作するためのインターフェースとして設けられ、他の機器とのデータ送信形式の規格に適合したものである。他の機器との接続規格としては、ＳＣＳＩ（Ｓｍａｌｌ  Ｃｏｍｐｕｔｅｒ  Ｓｙｓｔｅｍ  Ｉｎｔｅｒｆａｃｅ）やＵＳＢ（Ｕｎｉｖｅｒｓａｌ  Ｓｅｒｉａｌ  Ｂｕｓ）等の規格があるが、本実施形態では、ＵＳＢ規格を採用しているものとする。
通信制御部４０はこのような各規格全てについて対応する１つの部品として設けられているわけではなく、ＳＣＳＩならＳＣＳＩ用の通信制御部があり、ＵＳＢならＵＳＢ用の通信制御部が存在する。したがって、本実施形態の光ディスク装置３０は１つの通信制御部４０しか存在しないものについて図示しているが、通信制御部が複数存在する光ディスク装置３０であってもよい。
【００２４】
通信制御部４０は、データの入出力を制御するＬＳＩ（チップ）と搭載されたソフトウェアとが協働して動作する。本実施形態での通信制御部４０としては、具体的にはＵＳＢコントローラのホスト機能（ホスト手段４１）と、ＵＳＢ周辺機器としての周辺機器機能（周辺機器手段４２）の両者の機能を有するものである。
【００２５】
通信制御部４０は、光ディスク装置３０に他の機器を接続した場合に、他の機器の接続を検出する検出手段６０、および光ディスク装置３０が他の機器のホスト機器として動作制御を行なうように他の機器に対してコマンドを出力できるコマンド出力手段６１が設けられている。このような検出手段６０とコマンド出力手段６１がホスト手段４１の動作の一部を構成する。
【００２６】
通信制御部４０は、ホスト機能を有する他の機器からのコマンドを受信するコマンド受信手段６２をも設けている。コマンド受信手段６２が周辺機器手段４２の動作の一部を構成する。コマンド受信手段６２が受信したコマンドは後述する動作制御部４４へ送られ、動作制御部４４がコマンドに指示された動作を行なうように光ディスク装置３０全体の動作を制御する。
【００２７】
動作制御部４４は、ＣＰＵやメモリ等から構成されており、光ディスク装置３０全体の動作を統括制御する。動作制御部４４は、図示しないＲＯＭ等の記憶手段内に予め記憶されている制御プログラム（ファームウェア）に基づいて動作する。
動作制御部４４がコマンド等にしたがってデータ書き込みを行なうように、サーボプロセッサ４６を制御する。サーボプロセッサ４６は、スピンドルモータ３２の駆動や光ピックアップ３４の移動等を制御する。
【００２８】
スイッチ７３は、ワンタッチで、他の機器に対して光ディスク２０内のデータを送信し、この送信したデータを記録するように指示することができるよう、ユーザが操作可能に設けられている。
スイッチ７３は、インターフェイス制御部４５に接続されている。
なお、インターフェイス制御部４５は、ＣＰＵやメモリ等から構成されており、ユーザの操作や表示に係る動作について統括して制御している。
【００２９】
スイッチ７３が操作されると、インターフェイス制御部４５は、接続されている他の機器（データを記録可能な機器であればどのようなものでもよい）に、これから送信するデータを記録するように指示するコマンドを出力させるべく通信制御部４０を制御する。その後、動作制御部４４が、送信すべきデータを光ディスク２０から読み出すように、サーボプロセッサ４６等を制御する。
【００３０】
また、スイッチ４８は、ワンタッチで他の機器に存するデータを光ディスク２０に書き込むことができるように、ユーザが操作可能に設けられている。スイッチ４８は、インターフェイス制御部４５に接続されている。
【００３１】
スイッチ４８が操作されると、インターフェイス制御部４５は、接続されている他の機器（データを保持しているデータ保持機器であればどのようなものでもよい）に保持しているデータを読み出して送るように、他の機器にコマンドを出力させるべく通信制御部４０を制御する。
さらに、送信した他の機器からデータが送信されてきたときには、動作制御部４４が、このデータを光ディスク２０へ書き込むようにエンコーダ３８やレーザドライバ３６や、サーボプロセッサ４６等を制御する。
【００３２】
また、光ディスク装置３０には、ＬＥＤや液晶モニタ等のユーザが視覚的に認識できる表示部４９が設けられている。表示部４９は、他の機器がデータを記録している最中である場合、および光ディスク２０に他の機器から読み出されたデータを書き込んでいる最中である場合に動作する。
例として、ＬＥＤが点滅若しくは点灯したり、または液晶等にデータバックアップ中である旨が表示されるようにインターフェイス制御部４５が表示部４９を制御する。
本実施形態では、１つの表示部４９しか図示していないが、他の機器がデータを記録している最中であることを表示する表示部と、光ディスク２０に他の機器から読み出されたデータを書き込んでいることを表示する表示部とでは別々の表示部を設けてもよい。
【００３３】
次に、光ディスク装置３０に他の機器（例えば、別の光ディスク装置）を接続した場合の動作について図２、図３に基づいて説明する。図２は接続先の機器の構成を示し、図３はデータコピー時の両装置の動作を表示するフローチャートである。
ここで光ディスク装置３０に接続されている光ディスク装置８０は、本発明の光ディスク装置ではなく、周辺機器手段しか有していない、従来通りのものであるとする。また、この光ディスク装置８０は、少なくとも光ディスク２０ｃにデータを書き込む機能を有していることが必要である。したがって光ディスク２０ｃは、ＣＤ−Ｒ、ＣＤ−ＲＷ等のメディアである。
【００３４】
光ディスク装置８０は、接続された機器からのコマンドやデータを受信する通信制御部８２、通信制御部８２で受信したデータをＥＦＭ変調等してデータ処理するエンコーダ８４、エンコードされたデータに基づいて光ピックアップ８６のレーザ強度を制御するレーザドライバ８７と、レーザドライバ８７によって制御される光ピックアップ８６とを具備している。
この光ディスク装置８０は、周辺機器としてしか動作しないものであって、通信制御部８２には周辺機器手段８１しか設けられていない。
【００３５】
光ディスク装置８０は、コマンドを受信した通信制御部８２が制御部（ＣＰＵやメモリ等から構成される）８８へコマンドを送り、制御部８８がコマンドにしたがってデータ書き込みを行なうように、サーボプロセッサ８９を制御する。サーボプロセッサ８９は、スピンドルモータ３２の駆動や光ピックアップ８６の移動等を制御する。
【００３６】
図３に基づいて動作説明する。
まず、ステップＳ１００において、ユーザがスイッチ７３をＯＮにする。すると、インターフェイス制御部４５が通信制御部４０に対して、現在接続されている他の機器である光ディスク装置８０へ、これから送信するデータを記録すべき旨のコマンドを出力させるよう制御する。
そしてステップＳ１０２において通信制御部４０のコマンド出力手段６１が、光ディスク装置８０へデータを記録するように指示するコマンドを出力する。
【００３７】
一方、光ディスク装置８０では、通信制御部８２がコマンドを受信し、制御部８８がコマンドにしたがってデータの書き込みを行なうべくサーボプロセッサ８９やレーザドライバ８７に書き込み準備を行なうよう制御する（ステップＳ２００）。
【００３８】
また光ディスク装置３０では、動作制御部４４の制御により光ディスク２０内のデータを読み出す（ステップＳ１０４）。
読み出されたデータは、ＲＦアンプ７１やデコーダ７２を介して通信制御部４０が光ディスク装置８０へ送信される（ステップＳ１０６）。
【００３９】
そして、光ディスク装置８０では、通信制御部８２が書き込むべきデータを受信し、制御部８８がサーボプロセッサ８９やレーザドライバ８７を制御して光ディスク２０ｃへデータを書き込む（ステップＳ２０２）。
なお、光ディスク装置８０は、データ書き込み中の間はその旨の信号を光ディスク装置３０へ出力するようにするとよい。すると、光ディスク装置３０では、その信号を受信して表示部４９に、現在データコピー中である旨を表示させることができる。
【００４０】
ここまではデータを記録可能な他の機器として光ディスク装置について説明した。
しかし、他の機器はこれに限定されるものではなく、光磁気ディスク装置、磁気ディスク装置等データが記録できる機器であればどのような機器であってもよい。
【００４１】
次に、光ディスク装置３０に他の機器（例えば、別の光ディスク装置）を接続した場合の他の動作について図４、図５に基づいて説明する。図４は接続先の機器の構成を示し、図５はデータコピー時の両装置の動作を表示するフローチャートである。
ここで光ディスク装置３０に接続されている光ディスク装置５０は、本発明の光ディスク装置ではなく、周辺機器手段しか有していない、従来通りのものであるとする。また、この光ディスク装置５０は、少なくとも光ディスク２０ｄからデータを読み出し可能であればよい。
【００４２】
光ディスク装置５０は、公知の構成を有しているが、以下、簡単にその構成を説明する。
光ディスク装置５０では、光ピックアップ３４から読み出されたデータがＲＦアンプ５２を介してデジタル化して増幅され、デコーダ５４へ送られる。
デコーダ５４ではＲＦアンプ５２から送られてきたデータをＥＦＭ復調等して通信制御部５６へ送る。
通信制御部５６は、他の機器との接続用のインターフェースとして設けられ、データの入出力を制御するＬＳＩ（チップ）に搭載されたソフトウェアによって動作する。通信制御部５６は、このソフトウェアにより周辺機器手段５７を有しており、ホスト機能を有する機器に対する周辺機器として動作する機能のみを有している。
【００４３】
図５に基づいて動作説明する。
まず、ステップＳ３００において、ユーザがスイッチ４８をＯＮにする。すると、インターフェイス制御部４５が通信制御部４０に対して、現在接続されている他の機器である光ディスク装置５０へ、保持しているデータを送信すべき旨のコマンドを出力するように指示する。
そしてステップＳ３０２において通信制御部４０のコマンド出力手段６１が、光ディスク装置５０へデータ送信をさせるコマンドを出力する。
【００４４】
光ディスク装置５０では、通信制御部５６がコマンドを受信すると、制御部（ＣＰＵやメモリ等から構成される）５１がコマンドにしたがってデータ読み出しを行なうべくサーボプロセッサ５３を制御し、光ピックアップ３４が光ディスク内のデータを読み出す（ステップＳ４００）。
【００４５】
光ディスク２０ｄ内から読み出されたデータは、ＲＦアンプ５２やデコーダ５４を経て通信制御部５６から光ディスク装置３０へ送信される（ステップＳ４０２）。
【００４６】
光ディスク装置３０では、光ディスク装置５０から送信されてきたデータを通信制御部４０が受信する（ステップＳ３０４）。
次に、動作制御部４４がサーボプロセッサ４６、エンコーダ３８、レーザドライバ３６等を制御することによって、受信したデータを光ディスク２０へ書き込む（ステップＳ３０６）。
【００４７】
また、図４に示したデータを読み出しできる他の機器としては、メモリカードリーダであってもよい。
この場合のメモリカードの構成と動作について、図６に基づいて説明する。
メモリカードリーダ４７は、メモリカード２を装着可能な装着部６５と、装着部６５に装着されたメモリカード２内のデータを読み出して他の機器へ送信することができる通信制御部６６と、メモリカードリーダ４７全体の動作を統括制御するＣＰＵやメモリ等から構成される制御部６４とを具備している。
【００４８】
通信制御部６６は、他の機器と接続して動作するためインターフェースとして設けられ、他の機器との接続の規格に合わせて動作する。通信制御部６６は、周辺機器機能（周辺機器手段６８）のみを有するものである。
【００４９】
このような構成を有するメモリカードリーダ４７の通信制御部６６が、光ディスク装置３０からの、データを送信すべき旨のコマンドを受け取ると、制御部６４がコマンドにしたがって装着部６５に装着されたメモリカード２からデータを読み出すように制御する。
メモリカード２内から読み出されたデータは、通信制御部６６が光ディスク装置３０へ送信する。
【００５０】
なお、上述した形態では、データを保持している機器としては、光ディスク装置とメモリカードリーダとについて説明したが、データを保持している機器であればどのようなものであってもよい。
【００５１】
なお、データ書き込みの方法や書き込み速度の選択をユーザが設定可能となるように、ユーザが操作可能なスイッチ類を、上記スイッチ７３やスイッチ４８以外にも設けるような構成としてもよい（図示せず）。
さらに、データ書き込みの方法や書き込み速度の選択については、予め図示しない記憶手段内に記憶された制御プログラムにより最適な設定の動作を行なうようにしてもよい。
【００５２】
なお、本発明の光ディスク装置に接続されているのはホスト機能が設けられていない周辺機器としての役割しか有さない従来と同様の光ディスク装置等であったが、ホスト機能を有する光ディスク装置同士を接続するようにしても好適である。
【００５３】
以上、本発明の好適な実施の形態について種々述べてきたが、本発明は上述する実施の形態に限定されるものではなく、発明の精神を逸脱しない範囲で多くの改変を施し得るのはもちろんである。
【００５４】
【発明の効果】
本発明に係る光ディスク装置によれば、ホストコンピュータを介さずに他の機器へデータを送信してデータを記録すべき指示をすることができるため、ホストコンピュータを介さずにデータのパックアップができる。また、他の機器が保持しているデータを送信するように、他の機器に指示して他の機器が保持しているデータをホストコンピュータを介さずに直接光ディスクに書き込むことが可能となる。
このため、データを様々なメディアで保存するという行為を、コストおよび手間をかけずに手軽に行なうことが可能であるという著効を奏する。
【図面の簡単な説明】
【図１】本発明にかかる光ディスク装置の内部構成を示すブロック図である。
【図２】本発明にかかる光ディスク装置に、データを書き込み可能な他の光ディスク装置を接続したところを示す説明図である。
【図３】本発明にかかる光ディスク装置に他の光ディスク装置を接続してデータを送信して記録させる場合の動作説明をするフローチャートである。
【図４】本発明にかかる光ディスク装置に、データを保持している他の機器として光ディスク装置を接続したところを示す説明図である。
【図５】本発明にかかる光ディスク装置に他の光ディスク装置を接続してデータを送信させてデータを光ディスクに書き込む場合の動作説明をするフローチャートである。
【図６】本発明にかかる光ディスク装置に、データを保持している他の機器としてメモリカードリーダを接続したところを示す説明図である。
【図７】従来、メモリカード内のデータを光ディスクに保存させる際の機器の接続構成を示す説明図である。
【符号の説明】
２０    光ディスク
３０，５０，８０    光ディスク装置
３１    ターンテーブル
３２    スピンドルモータ
３４，８６    光ピックアップ
３６，８７    レーザドライバ
３８，８４    エンコーダ
４０，５６，６６，８２    通信制御部
４１    ホスト手段
４２，５７，６８，８１    周辺機器手段
４４    動作制御部
４５    インターフェイス制御部
４６，５３，８９    サーボプロセッサ
４７    メモリカードリーダ
４８，７３    スイッチ
４９    表示部
５２，７１    ＲＦアンプ
５４，７２    デコーダ
６０    検出手段
６１    コマンド出力手段
６２    コマンド受信手段
６４，８８    制御部
６５    装着部
【図１】
2004247009.tif 000003
【図２】
2004247009.tif 000004
【図３】
2004247009.tif 000005
【図４】
2004247009.tif 000006
【図５】
2004247009.tif 000007
【図６】
2004247009.tif 000008
【図７】
2004247009.tif 000009